(57)【要約】【課題】ＦｏＩＰとりわけＩＰ−ＦＡＸ通信において通話および手動送信を可能とするファクシミリ通信装置および方法を提供する。【解決手段】ＩＰ網を介して通話を行う場合、ユーザが発した声は電話機に入力され、電話機に入力された音声信号は音声ＣｏｄｅｃでＩＰパケットに変換され、ＩＰパケットはＩＰ網に送信され、ＩＰ網から受信したＩＰパケットは音声Ｃｏｄｅｃで音声信号に変換され、音声信号は電話機から出力される。ＩＰ−ＦＡＸ通信を行う場合、スキャナで読み取った画像データは、ＣＰＵの制御によりＩＰ網に送信され、ＩＰ網から受信した画像データは、ＣＰＵの制御によりプリンタで印字される。ＩＰ−ＦＡＸ通信の手動送信を行う場合、ＩＰ網を介して相手先と通話を行い、スタートボタンを押下することで、スキャナが原稿を読み取り、画像データをＩＰ−ＦＡＸ通信で相手先に送信する。【選択図】図２
2007336161.tif 000002
【特許請求の範囲】
【請求項１】
ＩＴＵ−Ｔ勧告Ｔ．３８に準拠したＩＰファクシミリ通信を行うファクシミリ通信装置において、
ＩＰ網と接続するためのＩＰ網接続手段と、
前記ＩＰ網接続手段を介して前記ＩＰファクシミリ通信を行うＩＰファクシミリ通信手段と、
電話網を通じて他の電話機と通話するための電話手段と、
音声をＩＰパケット化し、ＩＰパケットを音声化する変換手段と
を具備し、
前記変換手段は、
前記電話手段で入力した音声のＩＰパケット化と、前記ＩＰ網接続手段を介して受信したＩＰパケットの音声化とを行うことで、前記電話手段による前記ＩＰ網経由の通話を成立させ、
前記ＩＰファクシミリ通信手段は、
前記電話手段による相手先との前記ＩＰ網経由の通話が行われている際に、該ＩＰ網を介して該相手先に接続し、
前記接続した相手先と前記ＩＰファクシミリ通信を行う
ことを特徴とするファクシミリ通信装置。
【請求項２】
ＩＴＵ−Ｔ勧告Ｔ．３８に準拠したＩＰファクシミリ通信を行うファクシミリ通信装置において、
ＩＰ網と接続するためのＩＰ網接続手段と、
電話網と接続するための電話網接続手段と、
前記ＩＰ網接続手段を介して前記ＩＰファクシミリ通信を行うＩＰファクシミリ通信手段と、
前記電話網接続手段を介して他の電話機と電話するための電話手段と
を具備し、
前記ＩＰファクシミリ通信手段は、
前記電話網と前記ＩＰ網とで接続する相手先との前記電話手段による該電話網経由の通話が行われている際に、該ＩＰ網を介して該相手先に接続し、
前記接続した相手先と前記ＩＰファクシミリ通信を行う
ことを特徴とするファクシミリ通信装置。
【請求項３】
前記ＩＰファクシミリ通知手段は、
前記電話手段による相手先との前記電話網経由の通話が行われている際に、前記ＩＰ網を介して該相手先に接続し、
前記相手先から前記ＩＰ網の接続確立の情報を受け付けた場合、該相手先と前記ＩＰファクシミリ通信を行う
ことを特徴とする請求項２記載のファクシミリ通信装置。
【請求項４】
ＩＴＵ−Ｔ勧告Ｔ．３８に準拠したＩＰファクシミリ通信を行うファクシミリ通信装置のファクシミリ通信方法において、
ＩＰ網と接続し、
音声をＩＰパケット化し、ＩＰパケットを音声化する変換手段は、
電話網を通じて他の電話機と通話するための電話手段で入力した音声のＩＰパケット化と、前記ＩＰ網を介して受信したＩＰパケットの音声化とを行うことで、該電話手段による前記ＩＰ網経由の通話を成立させ、
前記ＩＰ網を介して前記ＩＰファクシミリ通信を行うＩＰファクシミリ通信手段は、
前記電話手段による相手先との前記ＩＰ網経由の通話が行われている際に、該ＩＰ網を介して該相手先に接続し、
前記接続した相手先と前記ＩＰファクシミリ通信を行う
ことを特徴とするファクシミリ通信方法。
【請求項５】
ＩＴＵ−Ｔ勧告Ｔ．３８に準拠したＩＰファクシミリ通信を行うファクシミリ通信装置のファクシミリ通信方法において、
ＩＰ網および電話網と接続し、
前記ＩＰ網を介して前記ＩＰファクシミリ通信を行うＩＰファクシミリ通信手段は、
前記電話網を介して他の電話機と電話するための電話手段による該電話網と前記ＩＰ網とで接続する相手先との該電話網経由の通話が行われている際に、該ＩＰ網を介して該相手先に接続し、
前記接続した相手先と前記ＩＰファクシミリ通信を行う
ことを特徴とするファクシミリ通信方法。
【請求項６】
前記ＩＰファクシミリ通知手段は、
前記電話手段による相手先との前記電話網経由の通話が行われている際に、前記ＩＰ網を介して該相手先に接続し、
前記相手先から前記ＩＰ網の接続確立の情報を受け付けた場合、該相手先と前記ＩＰファクシミリ通信を行う
ことを特徴とする請求項５記載のファクシミリ通信方法。
【発明の詳細な説明】
【技術分野】
【０００１】
本発明は、ファクシミリ通信装置および方法に関し、特に、ＩＴＵ−Ｔ勧告Ｔ．３８に準拠したリアルタイム型の通信方式を備えたファクシミリ通信装置および方法に関する。
【背景技術】
【０００２】
近年、ＩＰ電話と称したパケット網を介して通話を行うサービスが提供されている。ＩＰ電話の利点として、通信料金の削減等が挙げられる。また、このＩＰ網を利用してのファクシミリ通信（ＦｏＩＰ［Fax over IP］）も行われるようになってきている。
【０００３】
例えば、電話機およびＦＡＸ装置などの複数の送受信手段を同時に利用して通信を行うことのできるＩＰネットワーク通信用ファクシミリがある（例えば、特許文献１参照。）。
【特許文献１】特開２００２−１０１２５６号公報
【発明の開示】
【発明が解決しようとする課題】
【０００４】
しかし、ＦｏＩＰの中でもＩＴＵ−Ｔ勧告Ｔ．３８に準拠したリアルタイム型の通信方式（以後、ＩＰ−ＦＡＸ通信と称する）を備えたファクシミリ通信装置が製品化されているが、通話をサポートしていないため、従来の電話網を利用したファクシミリ通信装置にある手動送信、手動受信といった機能がなかった。音声をＩＰ網に流すためには、アナログ信号をＩＰパケット化したり、ＩＰパケットを音声化する音声Ｃｏｄｅｃが必要であり、その分だけコストがかかり、従来のファクシミリ装置では採用されていなかったため、手動送信、手動受信を必要とするユーザにとってはＩＰ−ＦＡＸ通信を利用することはできなかった。
【０００５】
そこで、本発明は、ＦｏＩＰとりわけＩＰ−ＦＡＸ通信において通話および手動送信を可能とするファクシミリ通信装置および方法を提供することを目的とする。
【課題を解決するための手段】
【０００６】
上記目的を達成するため、請求項１の発明は、ＩＴＵ−Ｔ勧告Ｔ．３８に準拠したＩＰファクシミリ通信を行うファクシミリ通信装置において、ＩＰ網と接続するためのＩＰ網接続手段と、前記ＩＰ網接続手段を介して前記ＩＰファクシミリ通信を行うＩＰファクシミリ通信手段と、電話網を通じて他の電話機と通話するための電話手段と、音声をＩＰパケット化し、ＩＰパケットを音声化する変換手段とを具備し、前記変換手段は、前記電話手段で入力した音声のＩＰパケット化と、前記ＩＰ網接続手段を介して受信したＩＰパケットの音声化とを行うことで、前記電話手段による前記ＩＰ網経由の通話を成立させ、前記ＩＰファクシミリ通信手段は、前記電話手段による相手先との前記ＩＰ網経由の通話が行われている際に、該ＩＰ網を介して該相手先に接続し、前記接続した相手先と前記ＩＰファクシミリ通信を行うことを特徴とする。
【０００７】
また、請求項２の発明は、ＩＴＵ−Ｔ勧告Ｔ．３８に準拠したＩＰファクシミリ通信を行うファクシミリ通信装置において、ＩＰ網と接続するためのＩＰ網接続手段と、電話網と接続するための電話網接続手段と、前記ＩＰ網接続手段を介して前記ＩＰファクシミリ通信を行うＩＰファクシミリ通信手段と、前記電話網接続手段を介して他の電話機と電話するための電話手段とを具備し、前記ＩＰファクシミリ通信手段は、前記電話網と前記ＩＰ網とで接続する相手先との前記電話手段による該電話網経由の通話が行われている際に、該ＩＰ網を介して該相手先に接続し、前記接続した相手先と前記ＩＰファクシミリ通信を行うことを特徴とする。
【０００８】
また、請求項３の発明は、請求項２の発明において、前記ＩＰファクシミリ通知手段は、前記電話手段による相手先との前記電話網経由の通話が行われている際に、前記ＩＰ網を介して該相手先に接続し、前記相手先から前記ＩＰ網の接続確立の情報を受け付けた場合、該相手先と前記ＩＰファクシミリ通信を行うことを特徴とする。
【０００９】
また、請求項４の発明は、ＩＴＵ−Ｔ勧告Ｔ．３８に準拠したＩＰファクシミリ通信を行うファクシミリ通信装置のファクシミリ通信方法において、ＩＰ網と接続し、音声をＩＰパケット化し、ＩＰパケットを音声化する変換手段は、電話網を通じて他の電話機と通話するための電話手段で入力した音声のＩＰパケット化と、前記ＩＰ網を介して受信したＩＰパケットの音声化とを行うことで、該電話手段による前記ＩＰ網経由の通話を成立させ、前記ＩＰ網を介して前記ＩＰファクシミリ通信を行うＩＰファクシミリ通信手段は、前記電話手段による相手先との前記ＩＰ網経由の通話が行われている際に、該ＩＰ網を介して該相手先に接続し、前記接続した相手先と前記ＩＰファクシミリ通信を行うことを特徴とする。
【００１０】
また、請求項５の発明は、ＩＴＵ−Ｔ勧告Ｔ．３８に準拠したＩＰファクシミリ通信を行うファクシミリ通信装置のファクシミリ通信方法において、ＩＰ網および電話網と接続し、前記ＩＰ網を介して前記ＩＰファクシミリ通信を行うＩＰファクシミリ通信手段は、前記電話網を介して他の電話機と電話するための電話手段による該電話網と前記ＩＰ網とで接続する相手先との該電話網経由の通話が行われている際に、該ＩＰ網を介して該相手先に接続し、前記接続した相手先と前記ＩＰファクシミリ通信を行うことを特徴とする。
【００１１】
また、請求項６の発明は、請求項５の発明において、前記ＩＰファクシミリ通知手段は、前記電話手段による相手先との前記電話網経由の通話が行われている際に、前記ＩＰ網を介して該相手先に接続し、前記相手先から前記ＩＰ網の接続確立の情報を受け付けた場合、該相手先と前記ＩＰファクシミリ通信を行うことを特徴とする。
【発明の効果】
【００１２】
本発明によれば、ＩＴＵ−Ｔ勧告Ｔ．３８に準拠したリアルタイム型の通信方式のファクシミリ通信においても、通話および手動送信が可能となり、使い勝手が良くなるという効果を奏する。
【発明を実施するための最良の形態】
【００１３】
以下、本発明に係るファクシミリ通信装置および方法の実施の形態について添付図面を参照して詳細に説明する。
【実施例１】
【００１４】
図１は、本発明に係るファクシミリ通信装置を適用したファクシミリ通信システム１０１のシステム構成の実施例１を示す図である。
【００１５】
図１に示すように、本発明に係るファクシミリ通信装置２がネットワークＩ／Ｆ３１を介してＩＰ網４に接続し、他のファクシミリ通信装置５（本発明に係るファクシミリ通信装置でも良いし、既存のＩＰ網対応のファクシミリ通信装置でも良い）がネットワークＩ／Ｆ３２を介してＩＰ網４に接続している。
【００１６】
ファクシミリ通信装置２および他のファクシミリ通信装置５は、ネットワークＩ／Ｆ３１・３２を介して受信したＩＰパケットの音声信号への変換、音声信号のＩＰパケットへの変換を行う音声Ｃｏｄｅｃ６１・６２を具備し、その音声Ｃｏｄｅｃ６１・６２にネットワークＩ／Ｆ３１・３２と電話機７１・７２が接続することで、ＩＰ網４経由の通話が可能となっている。
【００１７】
ファクシミリ通信装置２と他のファクシミリ通信装置５との間のファクシミリ通信は、ＩＴＵ−Ｔ勧告Ｔ．３８に準拠したリアルタイム型の通信方式（以後、ＩＰ−ＦＡＸ通信と称する）で行われる。
【００１８】
図２は、本発明に係るファクシミリ通信装置２のハードウェア構成の一例を示す図である。
【００１９】
図２に示すように、ファクシミリ通信装置２は、ファクシミリ通信装置２全体の制御を行うＣＰＵ８（ＩＰ−ＦＡＸ通信における呼制御、伝送制御もＣＰＵで行う）、ＣＰＵ８の動作プログラム、各種設定データ（例えば、相手先の宛先）を記憶するＲＯＭ９・ＲＡＭ１０、ＩＰ網４またはＬＡＮに接続するためのネットワークＩ／Ｆ３１、ダイヤルボタン、短縮宛先ボタン、スタートボタン、液晶パネル等を有する操作パネル１１、原稿を光学的に読み取ってファクシミリ通信用の画像データを生成するスキャナ１２、ファクシミリ通信で受信した画像データを印字するプリンタ１３、音声Ｃｏｄｅｃ６１、音声Ｃｏｄｅｃ６１およびネットワークＩ／Ｆ３１を介する通話（即ち、ＩＰ電話）を行うための電話機７１を具備して構成される。なお、ＦＡＸ  Ｍｏｄｅｍを備えることで、ＩＴＵ−Ｔ勧告Ｔ．３０に準拠した見なしファクシミリ通信を行う構成も適用可能である。
【００２０】
ＩＰ網４を介して通話を行う場合、ユーザが発した声は電話機７１に入力され、電話機７１に入力された音声信号は音声Ｃｏｄｅｃ６１でＩＰパケットに変換され、ＩＰパケットはネットワークＩ／Ｆ３１を介してＩＰ網４に送信され、ＩＰ網４からネットワークＩ／Ｆ３１を介して受信したＩＰパケットは音声Ｃｏｄｅｃ６１で音声信号に変換され、音声信号は電話機７１から出力される。
【００２１】
ＩＰ−ＦＡＸ通信を行う場合、スキャナ１２で読み取った画像データは、ＣＰＵ８の制御によりネットワークＩ／Ｆ３１を介してＩＰ網４に送信され、ＩＰ網４からネットワークＩ／Ｆ３２を介して受信した画像データは、ＣＰＵ８の制御によりプリンタ１３で印字される。
【００２２】
ＩＰ−ＦＡＸ通信の手動送信を行う場合、原稿をスキャナ１２にセットし、ＩＰ網４を介して相手先と通話を行い、操作パネル１１のスタートボタンを押下することで、スキャナ１２がセットされている原稿を読み取り、読み取った画像データをＩＰ−ＦＡＸ通信で相手先に送信する。
【００２３】
次に、ファクシミリ通信装置で行われる通信処理の手順について図３に示すフローチャートを参照して説明する。
【００２４】
電話器がオフフックされ（ステップＳ３０１）、宛先が入力され（ステップＳ３０２）、スタートボタンが押下された場合（ステップＳ３０３でＹＥＳ）、ステップＳ３０６に進み、また、スタートボタンが押下されなかった場合（ステップＳ３０３でＮＯ）、ステップＳ３０４に進む。
【００２５】
スタートボタンが押下された場合（ステップＳ３０３でＹＥＳ）、スキャナが原稿を読み込み（ステップＳ３０６）、ＩＰ−ＦＡＸ通信を実行して読み込んだ画像データを宛先に送信し（ステップＳ３０７）、通信処理の手順を終了する。
【００２６】
また、ステップＳ３０３において、スタートボタンが押下されなかった場合（ステップＳ３０３でＮＯ）、ＩＰ網を介する通話を行い（ステップＳ３０４）、電話器がオンフックされない場合（ステップＳ３０５でＮＯ）、ステップＳ３０３に戻り、また、電話器がオンフックされた場合（ステップＳ３０５でＹＥＳ）、通信処理の手順を終了する。
【実施例２】
【００２７】
図４は、本発明に係るファクシミリ通信装置２を適用したファクシミリ通信システム１０２のシステム構成の実施例２を示す図である。
【００２８】
図４に示すように、本発明に係るファクシミリ通信装置２がネットワークＩ／Ｆ３１を介してＩＰ網４に接続するとともに回線Ｉ／Ｆ１４１を介して電話網１５に接続し、他のファクシミリ通信装置５（本発明に係るファクシミリ通信装置でも良いし、既存のＩＰ網対応のファクシミリ通信装置でも良い）がネットワークＩ／Ｆ３２を介してＩＰ網４に接続するとともに回線Ｉ／Ｆ１４２を介して電話網１５に接続している。
【００２９】
ファクシミリ通信装置２および他のファクシミリ通信装置５は、回線Ｉ／Ｆ１４１・１４２と電話機７１・７２が接続することで、電話網１５経由の通話が可能となっている。
【００３０】
ファクシミリ通信装置２と他のファクシミリ通信装置５との間のファクシミリ通信は、ＩＴＵ−Ｔ勧告Ｔ．３８に準拠したリアルタイム型の通信方式（以後、ＩＰ−ＦＡＸ通信と称する）で行われる。
【００３１】
図５は、本発明に係るファクシミリ通信装置２のハードウェア構成の一例を示す図である。
【００３２】
図５に示すように、ファクシミリ通信装置２は、ファクシミリ通信装置２全体の制御を行うＣＰＵ８（ＩＰ−ＦＡＸ通信における呼制御、伝送制御もＣＰＵで行う）、ＣＰＵ８の動作プログラム、各種設定データ（例えば、相手先の宛先）を記憶するＲＯＭ９・ＲＡＭ１０、ＩＰ網４またはＬＡＮに接続するためのネットワークＩ／Ｆ３１、電話網１５に接続するための回線Ｉ／Ｆ１４１、ダイヤルボタン、短縮宛先ボタン、スタートボタン、液晶パネル等を有する操作パネル１１、原稿を光学的に読み取ってファクシミリ通信用の画像データを生成するスキャナ１２、ファクシミリ通信で受信した画像データを印字するプリンタ１３、回線Ｉ／Ｆ１４１を介する通話を行うための電話機７１を具備して構成される。なお、ＦＡＸ  Ｍｏｄｅｍを備えることで、ＩＴＵ−Ｔ勧告Ｔ．３０に準拠した見なしファクシミリ通信を行う構成も適用可能である。
【００３３】
ＩＰ−ＦＡＸ通信の手動送信を行う場合、まず前提として相手先が電話網１５とＩＰ網４に両方接続している必要があるため、その相手先の宛先（電話網用の宛先番号、ＩＰ網用の宛先（例えば、ＩＰアドレス等））を事前に登録しなければならない。
【００３４】
そして、ＩＰ−ＦＡＸ通信の手動送信を行う際に、原稿をスキャナ１２にセットし、電話機７１をオフフックして相手先の宛先が登録されているボタンを押下すると、回線Ｉ／Ｆ１４１・電話網１５を介して相手先に発呼し、電話網１５を介して通話が行われる。
【００３５】
そして、操作パネル１１のスタートボタンを押下することで、スキャナ１２がセットされている原稿を読み取り、読み取った画像データをＩＰ−ＦＡＸ通信で相手先に送信する。
【００３６】
また、回線Ｉ／Ｆ１４１・電話網１５を介して相手先に発呼するとともにＩＰ網４を介して相手先に接続し、相手先とＩＰ網４での接続が確立することで、相手先から接続確立の情報（例えば、電話網を介した音声メッセージ等）を受け取った後に操作パネル１１のスタートボタンを押下することで、ＩＰ−ＦＡＸ通信を開始する構成も適用可能である。
【００３７】
また、ＦＡＸ  Ｍｏｄｅｍを備えることで、電話網１５を介したファクシミリ通信、見なしファクシミリ通信を行うこともでき、どのファクシミリ通信を行うかをユーザに選択させる構成も適用可能である。
【００３８】
次に、ファクシミリ通信装置で行われる通信処理の手順について図６に示すフローチャートを参照して説明する。
【００３９】
電話機がオフフックされ（ステップＳ６０１）、登録宛先が選択され（ステップＳ６０２）、相手先の電話網の宛先番号へ発呼し（ステップＳ６０３）、電話網経由の通話が開始され（ステップＳ６０４）、スタートボタンが押下され（ステップＳ６０５）、スキャナが原稿を読み込み（ステップＳ６０６）、ＩＰ網の宛先番号へ発呼し（ステップＳ６０７）、ＩＰ−ＦＡＸ通信を実行して読み込んだ画像データを宛先に送信し（ステップＳ６０８）、通信処理の手順を終了する。
【００４０】
次に、相手先から接続確立の情報が送られてくる場合にファクシミリ通信装置で行われる通信処理の手順について図７に示すフローチャートを参照して説明する。
【００４１】
電話機がオフフックされ（ステップＳ７０１）、登録宛先が選択され（ステップＳ７０２）、相手先の電話網の宛先番号へ発呼し（ステップＳ７０３）、電話網経由の通話が開始され（ステップＳ７０４）、相手先のＩＰ網の宛先番号へ発呼し（ステップＳ７０５）、ＩＰ通信路が確立した場合（ステップＳ７０６でＹＥＳ）、ステップＳ７０７に進み、また、ＩＰ通信路が確立しなかった場合（ステップＳ７０６でＮＯ）、ステップＳ７１１に進む。
【００４２】
ＩＰ通信路が確立した場合（ステップＳ７０６でＹＥＳ）、相手先からＩＰ−ＦＡＸ通信の開始指示を受け付け（ステップＳ７０７）、スタートボタンが押下され（ステップＳ７０８）、スキャナが原稿を読み込み（ステップＳ７０９）、ＩＰ−ＦＡＸ通信を実行して読み込んだ画像データを宛先に送信し（ステップＳ７１０）、通信処理の手順を終了する。
【００４３】
ＩＰ通信路が確立しなかった場合（ステップＳ７０６でＮＯ）、タイムアウトであるか否か確認し（ステップＳ７１１）、タイムアウトではない場合（ステップＳ７１１でＮＯ）、ステップＳ７０６に戻り、また、タイムアウトになった場合（ステップＳ７１１でＹＥＳ）、通信処理の手順を終了する。
【００４４】
本発明は、上記し、且つ図面に示した実施例に限定することなく、その要旨を変更しない範囲内で適宜変形して実施できるものである。
【図面の簡単な説明】
【００４５】
【図１】本発明に係るファクシミリ通信装置を適用したファクシミリ通信システムのシステム構成の実施例１を示す図である。
【図２】本発明に係るファクシミリ通信装置のハードウェア構成の一例を示す図である。
【図３】ファクシミリ通信装置で行われる通信処理の手順を示すフローチャートである。
【図４】本発明に係るファクシミリ通信装置を適用したファクシミリ通信システムのシステム構成の実施例２を示す図である。
【図５】本発明に係るファクシミリ通信装置のハードウェア構成の一例を示す図である。
【図６】ファクシミリ通信装置で行われる通信処理の手順を示すフローチャートである。
【図７】相手先から接続確立の情報が送られてくる場合にファクシミリ通信装置で行われる通信処理の手順を示すフローチャートである。
【符号の説明】
【００４６】
１０１、１０２    ファクシミリ通信システム
２    ファクシミリ通信装置
３１、３２    ネットワークＩ／Ｆ
４    ＩＰ網
５    他のファクシミリ通信装置
６１、６２    音声Ｃｏｄｅｃ
７１、７２    電話機
８    ＣＰＵ
９    ＲＯＭ
１０    ＲＡＭ
１１    操作パネル
１２    スキャナ
１３    プリンタ
１４１、１４２    回線Ｉ／Ｆ
１５    電話網
【図１】
2007336161.tif 000003
【図２】
2007336161.tif 000004
【図３】
2007336161.tif 000005
【図４】
2007336161.tif 000006
【図５】
2007336161.tif 000007
【図６】
2007336161.tif 000008
【図７】
2007336161.tif 000009